(57)【要約】【課題】好適な照明光が得られる照明装置を提供する。【解決手段】有機ＥＬ素子からなるＯＬＥＤパネル３と、ＯＬＥＤパネル３の照射面の中央に配置される中央照明部２と、を備え、中央照明部２は、ＯＬＥＤパネル３よりも輝度が高いことを特徴とする。また、中央照明部２は、発光ダイオードを有することを特徴とする。また、中央部に開口部を有する背面金属板と、背面金属板の開口部に配置されるプリズムと、をさらに備え、背面金属板の下面にＯＬＥＤパネルが固定され、背面金属板の上面に発光ダイオードが固定され、発光ダイオードの照射光は、プリズムで屈折して下方向に照射されることを特徴とする。【選択図】図５
2015138758.tif 000002
【特許請求の範囲】
【請求項１】
有機ＥＬ素子からなるＯＬＥＤパネルと、
前記ＯＬＥＤパネルの照射面の中央に配置される中央照明部と、を備え、
前記中央照明部は、前記ＯＬＥＤパネルよりも輝度が高い
ことを特徴とする照明装置。
【請求項２】
前記中央照明部は、発光ダイオードを有する
ことを特徴とする請求項１に記載の照明装置。
【請求項３】
中央に開口部を有する背面金属板と、
前記背面金属板の前記開口部に配置されるプリズムと、をさらに備え、
前記背面金属板の下面に前記ＯＬＥＤパネルが固定され、
前記背面金属板の上面に前記発光ダイオードが固定され、
前記発光ダイオードの照射光は、前記プリズムで屈折して下方向に照射される
ことを特徴とする請求項２に記載の照明装置。
【請求項４】
前記ＯＬＥＤパネルおよび前記中央照明部を有する灯具と、
天井に固定するシーリング側ケースと、
前記シーリング側ケースから前記灯具を吊り下げるコードと、を備える
ことを特徴とする請求項１乃至３のいずれか１項に記載の照明装置。
【請求項５】
商用交流電流を直流電流に変換する電源基板をさらに備え、
前記電源基板は、前記シーリング側ケースに格納される
ことを特徴とする請求項４に記載の照明装置。
【請求項６】
前記ＯＬＥＤパネルおよび前記中央照明部の照射面側に透明樹脂板をさらに備え、
前記中央照明部と前記透明樹脂板との間隔を、前記ＯＬＥＤパネルと前記透明樹脂板との間隔よりも広くする
ことを特徴とする請求項１に記載の照明装置。
【請求項７】
前記ＯＬＥＤパネルおよび前記中央照明部の照射面側に透明樹脂板をさらに備え、
前記透明樹脂板は、中央部に開口部を有する
ことを特徴とする請求項１に記載の照明装置。
【請求項８】
前記前記ＯＬＥＤパネルは、前記中央照明部を中心に、左右対称で略矩形状に配置される
ことを特徴とする請求項１に記載の照明装置。
【請求項９】
３マス×３マスで等間隔に配列された升目組を２組想定し、一方の升目組と他方の升目組を１つのマスで重ねた形状となっており、
重なるマスの位置に前記中央照明部を配置し、
その他のマスの位置に略正方形状の前記ＯＬＥＤパネルを配置する
ことを特徴とする請求項１に記載の照明装置。
【請求項１０】
該照明装置は、
該照明装置の長手方向と、該照明装置の下に配置される長方形の天板を有するテーブルの長手方向とが沿うように、天井に取り付けられる
ことを特徴とする請求項１に記載の照明装置。
【発明の詳細な説明】
【技術分野】
【０００１】
本発明は、照明装置に関し、特に、光源として有機ＥＬ素子を用いる照明装置に関する。
【背景技術】
【０００２】
次世代の省エネルギ照明装置として、発光ダイオード（Light Emitting Diode；ＬＥＤ）を光源として用いた照明装置や、有機エレクトロルミネッセンス（Electro-Luminescence）を利用した有機ＥＬ素子（有機発光ダイオード（Organic light-emitting diode；ＯＬＥＤ）ともいう。）を光源として用いた照明装置が開発されている。
【０００３】
特許文献１（特開２０１２−１５１１０１号公報）には、有機ＥＬ素子を含む複数の発光装置と、複数の発光ダイオードとを有する照明装置であって、前記複数の発光装置は、第１の基板、第２の基板、シール材、および前記有機ＥＬ素子を有し、前記有機ＥＬ素子は、前記第１の基板、前記第２の基板および前記シール材により封止され、前記複数の発光ダイオードは、前記複数の発光装置と重ならないように前記複数の発光装置の背面に設けられている照明装置が開示されている。
【先行技術文献】
【特許文献】
【０００４】
【特許文献１】特開２０１２−１５１１０１号公報
【発明の概要】
【発明が解決しようとする課題】
【０００５】
しかしながら、特許文献１に開示された照明装置は、有機ＥＬ素子を含む複数の発光装置の間に発光ダイオードが配置される構成となっている。このため、有機ＥＬ素子を含む複数の発光装置の間隔を幅広に設ける必要があり、照明装置が大型化するという課題がある。
【０００６】
また、特許文献１に開示された照明装置は、有機ＥＬ素子を含む複数の発光装置と発光ダイオードとが交互に配置されており、照明装置が設けられた室内の全体を照らすようになっている。一方で、省エネルギの観点から、室内の全体をやや暗く照らすとともに、照明の必要な部分を局所的に明るく照らす照明装置が求められている。
【０００７】
そこで、本発明は、好適な照明光が得られる照明装置を提供することを課題とする。
【課題を解決するための手段】
【０００８】
このような課題を解決するために、本発明に係る照明装置は、有機ＥＬ素子からなるＯＬＥＤパネルと、前記ＯＬＥＤパネルの照射面の中央に配置される中央照明部と、を備え、前記中央照明部は、前記ＯＬＥＤパネルよりも輝度が高いことを特徴とする。
【発明の効果】
【０００９】
本発明によれば、好適な照明光が得られる照明装置を提供することができる。
【図面の簡単な説明】
【００１０】
【図１】第１実施形態に係る照明装置を下方から見上げた斜視図である。
【図２】第１実施形態に係る照明装置を上方から見下ろした斜視図である。
【図３】第１実施形態に係る照明装置の断面図である。
【図４】第１実施形態に係る照明装置から透明樹脂板を取り外して、下方から見上げた斜視図である。
【図５】第１実施形態に係る照明装置におけるＬＥＤ電球とＯＬＥＤパネルの配置を示す平面模式図である。
【図６】本実施形態に係る照明装置の照度分布の一例を示すグラフである。
【図７】（ａ）から（ｃ）は第１実施形態の変形例に係る照明装置におけるＬＥＤ電球とＯＬＥＤパネルの配置を示す平面模式図である。
【図８】（ａ）は第２実施形態に係る照明装置のＬＥＤモジュールの付近を拡大した部分拡大断面図であり、（ｂ）は第２実施形態に係る照明装置におけるＬＥＤモジュールとＯＬＥＤパネルの配置を示す平面模式図である。
【図９】（ａ）は第３実施形態に係る照明装置の灯具の断面図であり、（ｂ）は（ａ）を縦方向に拡大した断面模式図であり、（ｃ）は第４実施形態に係る照明装置の灯具の断面図である。
【図１０】（ａ）は第５実施形態に係る照明装置の灯具の断面図であり、（ｂ）は第６実施形態に係る照明装置の灯具の断面図であり、（ｃ）は第７実施形態に係る照明装置の灯具の断面図である。
【図１１】第１実施形態に係る照明装置を食卓上に設置し、人が着席した状態を上から見た時の光が照らす範囲を示した模式図である。
【発明を実施するための形態】
【００１１】
以下、本発明を実施するための形態（以下「実施形態」という）について、適宜図面を参照しながら詳細に説明する。なお、各図において、共通する部分には同一の符号を付し重複した説明を省略する。
【００１２】
≪第１実施形態≫
第１実施形態に係る照明装置１の構成について、図１から図４を用いて説明する。図１は、第１実施形態に係る照明装置１を下方から見上げた斜視図である。図２は、第１実施形態に係る照明装置１を上方から見下ろした斜視図である。図３は、第１実施形態に係る照明装置１の断面図である。図４は、第１実施形態に係る照明装置１から透明樹脂板７を取り外して、下方から見上げた斜視図である。
【００１３】
図１に示すように、照明装置１は、ＬＥＤ電球２およびＯＬＥＤパネル３を、フードカバー５、背面金属板６および透明樹脂板７で挟持した灯具を、シーリング側ケース１１からコード８で吊り下げたペンダント式の照明装置である。具体的には、図３に示すように、照明装置１は、ＬＥＤ電球２と、ＯＬＥＤパネル３と、ＬＥＤ電球ソケット４と、フードカバー５と、背面金属板６と、透明樹脂板７と、コード８と、引掛けシーリングプラグ９と、電源基板１０と、シーリング側ケース１１と、を備えている。
【００１４】
照明装置１は、中央照明部であるＬＥＤ電球２を中心に複数枚のＯＬＥＤパネル３を左右対称に配置し、左右対称に配置された複数枚のＯＬＥＤパネル３を、その配置形状に合わせて形成された背面金属板６と透明樹脂板７で覆うことにより、外観形状が構成されている。
【００１５】
また、別の表現を用いれば、照明装置１は、ＬＥＤ電球２、ＬＥＤ電球ソケット４、フードカバー５からなる灯具をシーリング側ケース１１からコード８で吊り下げたペンダント式の照明装置について、フードカバー５の下側端部から水平方向に延びる板状の部材（背面金属板６）が設けられ、その板状の部材に複数枚のＯＬＥＤパネル３が配置された形状となっている。そして、ＬＥＤ電球２およびＯＬＥＤパネル３の照射面側に、フードカバー５および板状の部材（背面金属板６）を覆う透明樹脂板７が配置されている。
【００１６】
この実施形態では、照明装置１の外観形状が、図１から図５で示すように、中央照明部（ＬＥＤ電球２）を中心に８枚のＯＬＥＤパネル３を左右対称で略矩形状に配置し、略矩形状で左右対称に配置された８枚のＯＬＥＤパネル３を覆うように構成されている。
【００１７】
具体的には、第１実施形態に係る照明装置１は、３マス×３マスで等間隔に配列された升目組を２組想定し、一方の升目組と他方の升目組を１つのマスで重ねたような形状となっており、重なるマスの位置に中央照明部（ＬＥＤ電球２）を配置し、その他のマスの位置に略正方形状のＯＬＥＤパネル３を配置した形状となっている。
【００１８】
また、別の表現を用いれば、第１実施形態に係る照明装置１は、５マス×５マスで等間隔に配列された１つの大きな升目組のうち、対角位置にある２マス×２マスで配列された領域を５マス×５マスの升目組から除いた形状となっており、中心のマスの位置に中央照明部（ＬＥＤ電球２）を配置し、その他のマスの位置に略正方形状のＯＬＥＤパネル３を配置した形状となっている。
【００１９】
さらに別の表現を用いれば、第１実施形態に係る照明装置１は、中央照明部（ＬＥＤ電球２）から略正方形状のＯＬＥＤパネル３が十字（図５では、符号Ａ1 のそばのＯＬＥＤパネル３から符号Ａ4 のそばのＯＬＥＤパネル３までの線上と、符号Ａ3 のそばのＯＬＥＤパネル３から符号Ａ6 のそばのＯＬＥＤパネル３までの線上と、からなる十字）に２枚ずつ配列され、十字に配列されたＯＬＥＤパネル３により区切られた４つの領域のうち、互いに反対側となる２つの領域に略正方形状のＯＬＥＤパネル３を２×２で配置した形状となっている。
【００２０】
ＬＥＤ電球２は、複数の発光ダイオード（ＬＥＤ；Light Emitting Diode）を有し、電源基板１０からコード８の給電線を介して電力が供給されることにより、ＬＥＤが発光することができるようになっている。なお、ＬＥＤ電球２は、後述するＯＬＥＤパネル３と比較して、高輝度な光源である。
【００２１】
ＯＬＥＤパネル３は、有機ＥＬ素子（ＯＬＥＤ；Organic light-emitting diode）を有し、電源基板１０からコード８の給電線を介して電力が供給されることにより、ＯＬＥＤが発光することができるようになっている。なお、ＯＬＥＤパネル３は面光源であり、ＬＥＤ電球２よりも広範囲に光を放射することができる光源である。
【００２２】
図３に示すように、ＬＥＤ電球ソケット４は、コード８を介してシーリング側ケース１１から吊り下げられており、ＬＥＤ電球２を下向きに取り付けることができる。フードカバー５は、下側が開口した円錐台形状であり、内部にＬＥＤ電球２およびＬＥＤ電球ソケット４が配置される。なお、フードカバー５には、図２に示すように、放熱用のスリットを設けて、ＬＥＤ電球２の点灯時における発熱を外部に放熱するようにすることが好ましい。また、フードカバー５は、ＬＥＤ電球２の点灯時における発熱を放熱するために、金属製とすることが好ましい。
【００２３】
図２および図３に示すように、フードカバー５の下側には、背面金属板６が取り付けられている。図３および図４に示すように、背面金属板６には、発光面が下を向くようにしてＯＬＥＤパネル３が取り付けられている。なお、背面金属板６は、取り付けられたＯＬＥＤパネル３の点灯時における発熱を放熱するために、金属板とすることが好ましい。
【００２４】
図３および図４に示すように、背面金属板６の下側にはスペーサ６ａが取り付けられている。そして、図３に示すように、スペーサ６ａを介して、フードカバー５および背面金属板６の下側には、透明樹脂板７が設けられている。即ち、ＬＥＤ電球２およびＯＬＥＤパネル３は、フードカバー５および背面金属板６と、透明樹脂板７とで、挟まれて配置されている。ＬＥＤ電球２およびＯＬＥＤパネル３の光は、透明樹脂板７を透過して、照明装置１から下方向に放射される。なお、図１の例では、透明樹脂板７は、フードカバー５の下端と対応する位置およびＯＬＥＤパネル３の発光面と対応する位置が透明となっており、ＯＬＥＤパネル３とＯＬＥＤパネル３の間などの位置は、略格子状に塗装され内部の配線等が見えないようになっている。なお、透明樹脂板７は、光を透過すればよく、透明に限られず、半透明であってもよい。
【００２５】
図３に示すように、コード８は、照明装置１の灯具（ＬＥＤ電球２、ＯＬＥＤパネル３、ＬＥＤ電球ソケット４、フードカバー５、背面金属板６、透明樹脂板７）をシーリング側ケース１１から吊り下げる。また、コード８は、電源基板１０からＬＥＤ電球２およびＯＬＥＤパネル３に給電する給電線を有している。
【００２６】
引掛けシーリングプラグ９は、天井（図示せず）に設けられた引掛シーリング（図示せず）に取り付けるためのプラグである。引掛けシーリングプラグ９を引掛シーリングに取り付けることにより、電源基板１０に交流（商用電源）を給電するとともに、照明装置１のシーリング側ケース１１を天井に固定するようになっている。
【００２７】
電源基板１０は、引掛けシーリングプラグ９から給電された交流（商用電源）を直流に変換して、コード８の給電線を介して、ＬＥＤ電球２およびＯＬＥＤパネル３に給電することができるようになっている。
【００２８】
なお、コード８は、電源基板１０からＬＥＤ電球２への給電線と、電源基板１０からＯＬＥＤパネル３への給電線と、を有している。これにより、電源基板１０を制御することで、照明装置１は、「ＬＥＤ電球２のみを点灯させる」、「ＯＬＥＤパネル３のみを点灯させる」、「ＬＥＤ電球２およびＯＬＥＤパネル３を点灯させる」、「ＬＥＤ電球２およびＯＬＥＤパネル３を消灯させる」という各種の点灯パターンを実現することができる。なお、電源基板１０からＯＬＥＤパネル３への給電線は、コード８としてＬＥＤ電球ソケット４へと延び、さらに各ＯＬＥＤパネル３に配線されているが、図示を省略している。
【００２９】
また、電源基板１０は交流を直流に変換する際に発熱を生じるが、シーリング側ケース１１に電源基板１０を設けることにより、電源基板１０で発生した熱がＯＬＥＤパネル３に伝熱することを防止して、ＯＬＥＤパネル３が熱により劣化することを防止することができる。
【００３０】
また、シーリング側ケース１１に電源基板１０を設けることにより、コード８により吊り下げられる照明装置１の灯具（ＬＥＤ電球２、ＯＬＥＤパネル３、ＬＥＤ電球ソケット４、フードカバー５、背面金属板６、透明樹脂板７）の質量を小さくすることができる。このように、照明装置１の灯具の質量を小さくすることにより、例えば地震等により灯具が振れ回る場合であっても、その振れ回りを低減することができる。また、灯具が軽量であることから、取付け時や取外し時の作業性も容易になる。
【００３１】
シーリング側ケース１１は、内部に引掛けシーリングプラグ９および電源基板１０が配置され、引掛けシーリングプラグ９を引掛シーリング（図示せず）に取り付ける際、天井（図示せず）に固定される。
【００３２】
次に、ＬＥＤ電球２とＯＬＥＤパネル３の配置について、図５を用いて更に説明する。図５は、第１実施形態に係る照明装置１におけるＬＥＤ電球２とＯＬＥＤパネル３の配置を示す平面模式図である。
【００３３】
図５に示すように、照明装置１を透明樹脂板７の側（即ち、照明装置１の発光面の側）からみると、中央部にＬＥＤ電球２が配置され、ＬＥＤ電球２の外側にＯＬＥＤパネル３が配置されている。そして、ＯＬＥＤパネル３は、中央のＬＥＤ電球２を中心に左右対称に８個ずつ配置する。また、照明装置１の灯具は、発光面の側からみて、上下左右に張り出した角（Ａ1 〜Ａ6 ）が６箇所設けられている。即ち、照明装置１の形状は、発光面の側からみて、左右方向（長手方向）に張り出した角（Ａ2 ，Ａ5 ）と、上下方向（短手方向）に張り出した角（Ａ1 ，Ａ3 ，Ａ4 ，Ａ6 ）と、ＬＥＤ電球２の上下方向（短手方向）にくびれ部（Ｃ1 ，Ｃ2 ）と、を有している。
【００３４】
ここで、図１１を用いて、第１実施形態に係る照明装置１のＯＬＥＤパネル３の光が照らす範囲１３０について説明する。図１１は、第１実施形態に係る照明装置１を食卓用テーブル１００上に設置し、人１１０が着席した状態を上から見た時の光が照らす範囲１３０を示した模式図である。
【００３５】
図１１に示すように、食卓用テーブル１００は長方形の天板を有するテーブルであり、人（着席者）１１０は、食卓用テーブル１００の短辺側に１人ずつ着席し、食卓用テーブル１００の長辺側に２人ずつ着席している。そして、第１実施形態に係る照明装置１は、照明装置１の長手方向（図５の左右方向）と食卓用テーブル１００の長手方向が沿うようにして、設置されている。
【００３６】
図１１に示すように、照明装置１は、中央のＬＥＤ電球２を中心に左右対称にＯＬＥＤパネル３を８個ずつ配置することで、横長の食卓用テーブル１００を均等に照らすことを実現する。また、上下左右に張り出した角（Ａ1 〜Ａ6 ）を６箇所設けることで、食卓用テーブル１００の各辺に座った人１１０の手元（照らす範囲１３０）を特に明るく照らすことを目的とした配置になっている。
【００３７】
図６は、本実施形態に係る照明装置１の照度分布の一例を示すグラフである。ここで、照度の測定は、照明装置１の照射面（透明樹脂板７）から距離０．８ｍの水平面上で図５のＢ−Ｂ’線に対応する線上について照度分布を測定した。また、図６において、破線で示す照度分布ａはＯＬＥＤパネル３のみを点灯させた場合の照度分布であり、実線で示す照度分布ｂはＬＥＤ電球２およびＯＬＥＤパネル３を点灯させた場合の照度分布である。なお、一点鎖線で示す照度分布ｃについては、後述する。
【００３８】
なお、図６の例では、ＬＥＤ電球２は、５０ｍｍ角のＡｌベースの回路基板に１ＷクラスのＬＥＤを１２個実装し、１１Ｗの電力を投入して約８００ｌｍの発光光束を得た。また、ＯＬＥＤパネル３の有機ＥＬ素子として、有機半導体薄膜および導電材料の薄膜を蒸着形成した素子を用いた。ＯＬＥＤパネル３は１枚の寸法が１００ｍｍ角で、発光光束が５０ｌｍのパネルを図５のように１６枚配置した。そして、１枚のＯＬＥＤパネル３当たり２．５Ｗの電力を供給して駆動し、発光輝度は１６００ｃｄ／ｍ2 で、発光効率は２０ｌｍ／Ｗであった。電源基板１０は、スイッチング回路方式の直流電源を２回路用いて、ＬＥＤ電球２とＯＬＥＤパネル３をそれぞれ点灯した。
【００３９】
ＯＬＥＤパネル３のみを点灯させた場合の照度分布ａは、最大照度が４２０ｌｘであり、Ｂ−Ｂ’直線状の照度のばらつきは２０％未満であり、良好な均一性を得ている。一方、ＬＥＤ電球２およびＯＬＥＤパネル３を点灯させた場合の照度分布ｂは、中央部の照度が急に高くなり、最大照度が９００ｌｘであった。このように、ＬＥＤ電球２およびＯＬＥＤパネル３を点灯させた場合、ＯＬＥＤパネル３のみを点灯させた場合と比較して、中央部で２倍以上の照度が得られた。
【００４０】
＜作用効果＞
以上のように、第１実施形態に係る照明装置１は、図５に示すように、高輝度な光源であるＬＥＤ電球２を照明装置１の発光面の中央部に配置して、広範囲に光を放射する面光源であるＯＬＥＤパネル３をＬＥＤ電球２の外側に配置することにより、図６に示すように、中央部の照度を高くすることができる。
【００４１】
これにより、例えば、天井から第１実施形態に係る照明装置１を吊り下げ、照明装置１の下にテーブルを配置した場合、照明装置１はテーブルの上に配置された配置物を鮮明に照らすことができる。即ち、第１実施形態に係る照明装置１は、主としてＯＬＥＤパネル３により、室内全体を照らすとともに、主としてＬＥＤ電球２がテーブルの上に配置された配置物を鮮明に照らすことができる。これにより、例えば、「ＪＩＳ  Ｚ９１１０  照明基準総則」に定めた住宅の食卓の維持照度（３００ｌｘ）を得つつ、中央部では新聞などの文字を読むのに十分な照度対比を得ることができる。
【００４２】
また、第１実施形態に係る照明装置１は、特許文献１（特開２０１２−１５１１０１号公報）に開示された照明装置と比較して、ＯＬＥＤパネル３同士の間隔を狭くすることができるので、照明装置１を小型化することができる。また、第１実施形態に係る照明装置１は、特許文献１に開示された照明装置と比較して、ＬＥＤの窓が１つになるため、照明装置１の発光面をシンプルなデザインとすることができる。また、第１実施形態に係る照明装置１は、１本のコード８で照明装置１の灯具（ＬＥＤ電球２、ＯＬＥＤパネル３、ＬＥＤ電球ソケット４、フードカバー５、背面金属板６、透明樹脂板７）を吊り下げることができる。
【００４３】
≪第１実施形態の変形例≫
次に、第１実施形態の変形例に係る照明装置について図７を用いて説明する。図７の（ａ）から（ｃ）は、第１実施形態の変形例に係る照明装置におけるＬＥＤ電球とＯＬＥＤパネルの配置を示す平面模式図である。なお、第１実施形態の変形例に係る照明装置１Ａ〜１Ｃは、第１実施形態に係る照明装置１と比較して、ＬＥＤ電球とＯＬＥＤパネルの配置が異なっている。その他の構成は同様であり説明を省略する。
【００４４】
図７（ａ）に示すように、照明装置１Ａは、ＬＥＤ電球２を囲むように正方形のＯＬＥＤパネル３を８つ配置してもよい。また、図７（ｂ）に示すように、照明装置１Ｂは、ＬＥＤ電球２と、ＬＥＤ電球２に沿って円弧状の切り欠きを有するＯＬＥＤパネル３Ｂを４つ配置してもよい。また、図７（ｃ）に示すように、照明装置１Ｃは、ＬＥＤ電球２と、ＬＥＤ電球２に沿って中心に円状の切り欠きを有するＯＬＥＤパネル３Ｃを配置してもよい。このような照明装置１Ａ〜１Ｃでも、第１実施形態に係る照明装置１と同様の作用効果を得ることができる。
【００４５】
≪第２実施形態≫
次に、第２実施形態に係る照明装置１Ｄについて図８を用いて説明する。図８（ａ）は、第２実施形態に係る照明装置１ＤのＬＥＤモジュール２Ｄの付近を拡大した部分拡大断面図であり、図８（ｂ）は第２実施形態に係る照明装置１ＤにおけるＬＥＤモジュール２ＤとＯＬＥＤパネル３Ｄの配置を示す平面模式図である。なお、第２実施形態に係る照明装置１Ｄは、第１実施形態に係る照明装置１と比較して、ＬＥＤ電球２に代えて、ＬＥＤモジュール２Ｄとプリズム（導光板）１２を備える点で異なっている。また、ＯＬＥＤパネル３Ｄの形状が異なっている。その他の構成は同様であり説明を省略する。
【００４６】
図８（ａ）に示すように、第２実施形態に係る照明装置１Ｄは、ＯＬＥＤパネル３Ｄを取り付ける背面金属板６の上面側にＬＥＤモジュール２Ｄが複数（図８（ｂ）では４つ）設けられている。ＬＥＤモジュール２Ｄは、図８（ａ）の矢印に示すように、中心方向に向かって光を放射し、プリズム（導光板）１２によって屈折して、下方向に照射されるようになっている。
【００４７】
このように、第２実施形態に係る照明装置１Ｄは、ＬＥＤモジュール２Ｄはプリズム（導光板）１２を介して、照明装置１Ｄの照射面の中央部から高輝度な光を放射するとともに、ＯＬＥＤパネル３Ｄから広範囲に光を放射することができ、第１実施形態に係る照明装置１と同様の作用効果を得ることができる。
【００４８】
さらに、第２実施形態に係る照明装置１Ｄは、第１実施形態に係る照明装置１と比較して、灯具を薄くすることができる。また、第２実施形態に係る照明装置１Ｄは、ＬＥＤモジュール２Ｄを分散して配置することにより、放熱性を向上させることが容易となる。
【００４９】
≪第３実施形態≫
次に、第３実施形態に係る照明装置について図９（ａ）を用いて説明する。図９（ａ）は、第３実施形態に係る照明装置の灯具の断面図である。なお、図９（ａ）（および後述する図９（ｂ）から図１０（ｃ））では、照明装置の灯具のみを図示し、その他の構成は第１実施形態に係る照明装置１と同様であり、図示を省略する。
【００５０】
第３実施形態に係る照明装置は、光源として、ＬＥＤ実装基板２１に複数のＬＥＤ素子２２が実装されたＬＥＤモジュール２Ｅと、複数のＯＬＥＤパネル３と、を備えている。ＬＥＤモジュール２Ｅは、配列されたＯＬＥＤパネル３の概略中央部に配置されている。また、ＬＥＤモジュール２Ｅ、ＯＬＥＤパネル３およびスペーサ６ａは、背面金属板６Ａと透明樹脂板７の間に挟持されている。
【００５１】
ＬＥＤモジュール２ＥのＬＥＤ素子２２は、給電線８ａを介して通電され、通電されることにより発光する。ＬＥＤモジュール２Ｅの放射光Ｌ２Ｅは、図９（ａ）に示すように、下方向に透明樹脂板７を透過して放射される。また、ＯＬＥＤパネル３は、給電線８ｂを介して通電され、通電されることにより発光する。ＯＬＥＤパネル３の放射光Ｌ３は、図９（ａ）に示すように、下方向に透明樹脂板７を透過して放射される。
【００５２】
なお、電源基板（図示せず）は、天井部に配置され、天井から吊り下げるコード内に、給電線８ａ，８ｂが配される。コード（給電線８ａ，８ｂ）は、固定部１３にて背面金属板６Ａに固定され、灯具に給電するとともに天井から灯具が吊り下げ固定されている。
【００５３】
図９（ｂ）は、図９（ａ）を縦方向に拡大した第３実施形態に係る照明装置の灯具の断面模式図である。
【００５４】
ＬＥＤモジュール２ＥのＬＥＤ実装基板２１は、放熱部材２３を介して背面金属板６Ａに接しており、図示しないねじを用いて固定されている。なお、放熱部材２３としては、シリコン樹脂にセラミックフィラを混合しシート状に形成した高放熱シート（例えば、デンカ社製  ＢＦＧ３０）を用いてもよく、放熱グリスを用いてもよく、これらに限定されるものではない。また、ＯＬＥＤパネル３は、樹脂を基材とする両面テープ３１で背面金属板６Ａに接着されている。
【００５５】
ここで、ＬＥＤモジュール２ＥおよびＯＬＥＤパネル３は、通電されて発光する際、発熱する。発熱密度を比較すると、ＯＬＥＤパネル３は例えば０．０２５Ｗ／ｃｍ2 であるのに対し、ＬＥＤモジュール２Ｅは例えば０．４４Ｗ／ｃｍ2 であり、約１７．５倍もＬＥＤモジュール２Ｅの方が高い。ＬＥＤモジュール２Ｅの温度が上昇すると、ＬＥＤ素子２２の寿命が短くなる。また、ＬＥＤモジュール２Ｅが周囲の温度を上昇させることで、ＬＥＤモジュール２Ｅの周囲に配置したＯＬＥＤパネル３の寿命が短くなる。また、ＬＥＤモジュール２Ｅの熱輻射で透明樹脂板７が加熱され、樹脂が軟化、酸化劣化して、変形やヒビ割れを生じ、照明装置の外観不良が生じるおそれがある。
【００５６】
そこで、図９（ｂ）に示すように、ＯＬＥＤパネル３は透明樹脂板７と概略密着するのに対して、ＬＥＤモジュール２Ｅの表面と透明樹脂板７との間に間隔を設ける。具体的には、放熱部材２３の厚さを両面テープ３１よりも薄くする。これにより、ＬＥＤモジュール２Ｅから透明樹脂板７への放射熱密度を低減することで、透明樹脂板７の変形やヒビ割れを防止して、照明装置の外観不良の発生を防止することができる。また、放熱部材２３を薄くすることにより、放熱性も高まるので、ＬＥＤモジュール２Ｅの温度を低減する効果もある。
【００５７】
≪第４実施形態≫
次に、第４実施形態に係る照明装置について図９（ｃ）を用いて説明する。図９（ｃ）は、第４実施形態に係る照明装置の灯具の断面図である。
【００５８】
第４実施形態に係る照明装置の灯具は、背面金属板６Ｂの中央部に開口部６Ｂａを設け、背面金属板６Ｂの上面からＬＥＤモジュール２Ｅ（ＬＥＤ実装基板２１）を背面金属板６Ｂに固定する。そして、ＬＥＤ実装基板２１を開口部６Ｂａよりも大きくして、ＬＥＤ実装基板２１に背面金属板６Ｂの接する熱伝導領域２１ａを設ける。これにより、ＬＥＤモジュール２Ｅ（ＬＥＤ素子２２）の発熱を背面金属板６Ｂに伝導し放熱する。
【００５９】
第４実施形態に係る照明装置では、ＬＥＤモジュール２Ｅ（ＬＥＤ素子２２）の発熱を背面金属板６Ｂに伝熱するとともに、ＬＥＤモジュール２Ｅの表面と透明樹脂板７との間隔を、第３実施形態に係る照明装置（図９（ａ）参照）と比較して、背面金属板６Ｂの板厚６Ｂｂの分だけ広げることができるので、ＬＥＤモジュール２Ｅの熱輻射による透明樹脂板７の温度上昇を低減することができる。
【００６０】
≪第５実施形態≫
次に、第５実施形態に係る照明装置について図１０（ａ）を用いて説明する。図１０（ａ）は、第５実施形態に係る照明装置の灯具の断面図である。
【００６１】
第５実施形態に係る照明装置の灯具は、背面金属板６Ｃの中央部に凹み部６Ｃａを設け、凹み部６Ｃａの内側にＬＥＤモジュール２Ｅを固定する。なお、凹み部６Ｃａの形成は、背面金属板６Ｃの厚みを中央部のみを薄くするようにしてもよい。これにより、ＬＥＤモジュール２Ｅの表面と透明樹脂板７との間隔を、第３実施形態に係る照明装置（図９（ａ）参照）と比較して、広げることができるので、ＬＥＤモジュール２Ｅの熱輻射による透明樹脂板７の温度上昇を低減することができる。また、凹み部６Ｃａの深さを自在に設定できるので、背面金属板６Ｃに薄い金属板を用いて、透明樹脂板７とＬＥＤモジュール２Ｅの間隙６Ｃｂを大きくとりつつ、材料コストを低減し軽量化する効果がある。
【００６２】
また、第５実施形態に係る照明装置の照度分布を図６の一点鎖線で示す照度分布ｃで示す。図１０（ａ）に示すように、凹み部６Ｃａの壁面が放射光の広がりＬ２Ｅｗを抑えることにより、図６の照度分布ｃ（一点鎖線）で示すように、照射面の中央部の高照度部と周囲部との境界をシャープにすることができる。これにより、照明演出効果を高めることができる。
【００６３】
≪第６実施形態≫
次に、第６実施形態に係る照明装置について図１０（ｂ）を用いて説明する。図１０（ｂ）は、第６実施形態に係る照明装置の灯具の断面図である。
【００６４】
第６実施形態に係る照明装置の灯具は、透明樹脂板７Ａの中央部に開口部７Ａａを設ける。これにより、ＬＥＤモジュール２Ｅの熱放射を受ける部分の透明樹脂板を除くことで、ＬＥＤモジュール２Ｅの熱放射を空間（室内）に直接放散して、ＬＥＤモジュール２Ｅを輻射冷却することができる。また、ＬＥＤモジュール２Ｅの発光部であるＬＥＤ素子２２が空間（室内）に直接接しているので、透明樹脂板７Ａの界面反射、透過損失をなくすことができ、透明樹脂板７を介して放射する第１〜第５実施形態の照明装置と比較して、放射光束を１０％程度増大させることができる。
【００６５】
≪第７実施形態≫
次に、第７実施形態に係る照明装置について図１０（ｃ）を用いて説明する。図１０（ｃ）は、第７実施形態に係る照明装置の灯具の断面図である。
【００６６】
第７実施形態に係る照明装置の灯具は、透明樹脂板７Ｂの中央部に凹み部７Ｂａを設けることにより、ＬＥＤモジュール２Ｅと透明樹脂板７Ｂとの間に間隔７Ｂｂを設ける。これにより、ＬＥＤモジュール２Ｅの表面と透明樹脂板７Ｂとの間隔を、第３実施形態に係る照明装置（図９（ａ）参照）と比較して、広げることができるので、ＬＥＤモジュール２Ｅの熱輻射による透明樹脂板７Ｂの温度上昇を低減することができる。また、透明樹脂板７Ｂは、射出形成で容易に自由な形状が形成できるため、ペンダント灯具の中央部７Ｂａに形状での意匠を加えることができる。
【００６７】
≪変形例≫
なお、本実施形態に係る照明装置は、上記実施形態の構成に限定されるものではなく、発明の趣旨を逸脱しない範囲内で種々の変更が可能である。
【００６８】
図１等に示すように、本実施形態に係る照明装置１は、吊り下げ式のペンダントライトであるものとして説明したが、これに限られるものではない。例えば、部屋の天井や壁面に取り付けられる照明装置であってもよい。
【００６９】
また、本実施形態に係る照明装置１は、ＬＥＤ電球２とＯＬＥＤパネル３を用いるものとして説明したが、これに限られるものではない。例えば、ＬＥＤ電球２に代えて電球形蛍光灯や白熱電球を用いてもよい。このような構成でも、中央部の照度を高くすることができる。但し、省エネルギの観点や、ＯＬＥＤパネル３や透明樹脂板７の熱による劣化を防止する観点から、ＬＥＤ電球２を用いるのが好ましい。
【符号の説明】
【００７０】
１，１Ａ，１Ｂ，１Ｃ，１Ｄ  照明装置
２                          ＬＥＤ電球（中央照明部）
２Ｄ，２Ｅ                  ＬＥＤモジュール（中央照明部）
２１                        ＬＥＤ実装基板
２１ａ                      熱伝導領域
２２                        ＬＥＤ素子
２３                        放熱部材
３，３Ｂ，３Ｃ，３Ｄ，３Ｅ  ＯＬＥＤパネル
３１                        両面テープ
４                          ＬＥＤ電球ソケット
５                          フードカバー
６，６Ａ，６Ｂ              背面金属板
６ａ                        スペーサ
６Ｂａ                      開口部
６Ｂｂ                      板厚
６Ｃａ                      凹み部
７，７Ａ，７Ｂ              透明樹脂板
７Ａａ                      開口部
７Ｂａ                      凹み部
８                          コード
８ａ，８ｂ                  給電線
９                          引掛けシーリングプラグ
１０                        電源基板
１１                        シーリング側ケース
１２                        プリズム（導光板）
【図１】
2015138758.tif 000003
【図２】
2015138758.tif 000004
【図３】
2015138758.tif 000005
【図４】
2015138758.tif 000006
【図５】
2015138758.tif 000007
【図６】
2015138758.tif 000008
【図７】
2015138758.tif 000009
【図８】
2015138758.tif 000010
【図９】
2015138758.tif 000011
【図１０】
2015138758.tif 000012
【図１１】
2015138758.tif 000013